(57)【要約】【課題】電線架線構造において、回動型電線把持ユニットを備えるスペーサを取り付ける事による多導体送電線の水平な素導体間に弛度差を生じさせず、捻転し難く、過大な着雪が達せず、ギャロッピングの抑制に効果的な電線架線構造と、スペーサまたはダンパ用の電線把持ユニットを提供する。【解決手段】電線把持部と物体とが一体的に連結接続され、前記電線把持部によって架空電線に取り付けられる電線把持ユニットであって、前記電線把持部は、前記電線を固定式に把持する固定式把持手段を備え、前記物体は、前記電線把持部に対して可動的に連結保持される物体可動保持手段によって接合され、前記電線と物体との間で捩れ回転自在に把持する回動型把持構造を備える電線把持ユニットとした。【選択図】図１
2008035672.tif 000002
【特許請求の範囲】
【請求項１】
電線把持部と物体とが一体的に連結接続され、前記電線把持部によって架空電線に取り付けられる電線把持ユニットであって、
前記電線把持部は、前記電線を固定式に把持する固定式把持手段を備え、
前記物体は、前記電線把持部に対して可動的に連結保持される物体可動保持手段によって接合され、
前記電線と物体との間で捩れ回転自在に把持する回動型把持構造を備える、ことを特徴とする電線把持ユニット。
【請求項２】
請求項１記載の電線把持ユニットにおいて、
前記物体可動保持手段は、把持される電線軸を中心とした円弧上にあって所定角度分だけ前記物体の移動または回動が自在となる円弧状可動保持手段によって構成される、ことを特徴とする電線把持ユニット。
【請求項３】
請求項１または２に記載の電線把持ユニットにおいて、
前記物体は、電線用スペーサの間隔体、電線取り付け用の重錘、のいずれかであることを特徴とする電線把持ユニット。
【請求項４】
電線が支持物間に張架されて電線径間が形成される電線架線構造において、
前記電線には、請求項１〜３いずれかに記載の前記電線把持ユニットが取り付けられて構成される、ことを特徴とする電線架線構造。
【請求項５】
複数の電線把持部と一体の間隔体とが一体的に連結接続され、前記電線把持部によって架空電線に取り付けられる電線用スペーサであって、
前記電線把持部は、前記電線を固定式に把持する固定式把持手段を備え、
前記電線把持部と前記間隔体との連結接続箇所の少なくとも１つは、前記間隔体が前記電線把持部に対して可動的に連結保持される物体可動保持手段によって接合されて、前記電線と間隔体との間で捩れ回転自在に把持する回動型電線把持ユニットによって構成され、
他の連結接続箇所は、前記間隔体が前記電線把持部に対して固定的に連結保持される物体固定保持手段によって接合されて、前記電線と間隔体との間で捩れ回転させずに把持する固定型電線把持ユニットによって構成される、
ことを特徴とする電線用スペーサ。
【請求項６】
複数の電線把持部と一体の間隔体とが一体的に連結接続され、前記電線把持部によって架空電線に取り付けられる電線用スペーサであって、
前記電線把持部は、前記電線を固定式に把持する固定式把持手段を備え、
前記電線把持部と前記間隔体との連結接続箇所の全部が、前記間隔体が前記電線把持部に対して可動的に連結保持される物体可動保持手段によって接合されて、前記電線と間隔体との間で捩れ回転自在に把持する回動型電線把持ユニットによって構成される、ことを特徴とする電線用スペーサ。
【請求項７】
電線が支持物間に張架されて電線径間が形成される電線架線構造において、
前記電線には、請求項５に記載の電線用スペーサが取り付けられ、
前記電線用スペーサは、前記回動型電線把持ユニットと前記固定型電線把持ユニットの両方を備え、
統計的な主風向が風上側である素導体には前記回動型電線把持ユニットが取り付けられ、
風下側の素導体には前記固定型電線把持ユニットが斉一的に取り付けられる、ことを特徴とする電線架線構造。
【請求項８】
電線が支持物間に張架されて電線径間が形成される電線架線構造において、
前記電線には、請求項５に記載の電線用スペーサが取り付けられ、
前記電線用スペーサは、前記回動型電線把持ユニットと前記固定型電線把持ユニットの両方を備え、
前記回動型電線把持ユニットと前記固定型電線把持ユニットとが、電線径間方向と鉛直する面において、交互に隣り合うように配置される、ことを特徴とする電線架線構造。
【発明の詳細な説明】
【技術分野】
【０００１】
本発明は、固定型把持手段または回転型把持手段を備えた電線把持ユニットを有する電線用スペーサ、そのスペーサが多導体送電線に取付けられたり、あるいは回転型把持手段を備えた電線把持ユニットを有する捩れ防止ダンパが単導体送電線に取付けられたりして、ギャロッピング防止型の送電線などとして構成することができる電線架線構造、および、スペーサやダンパなどに適用できる電線把持ユニットに関するものである。
【背景技術】
【０００２】
単導体送電線の導体上の着氷雪は、撚り線導体の周面を撚り溝に沿って長手方向に滑り回転しながら筒雪に発達し、この筒雪の回転によって導体もねじれて回転または回動するので、筒雪の回転(回動)が助長されて、さらに大きな筒雪に発達する。こうした過大な電線着雪を防止するために、難着雪リングと併用して、所謂捩れ防止ダンパと称される所定の抗力モーメントを有する重錘体が、送電線の径間内に５０〜１００ｍ程度の間隔を置いて取付けられている（例えば特許文献１）。ところが、こうした重錘体を電線に取付けると電線の見掛けの捻れ剛性が大きくなって、着氷雪が風上側に発達しやすくなりギャロッピング振動などを誘発しやすいという問題があった。
【０００３】
上述の単導体送電線に対して、多導体送電線の各導体(素導体)の場合でも、所定間隔（２０〜６０ｍ）毎に取付けられたスペーサにより相互に連結されているので、各素導体自身の捻れ剛性が大きくなり、その結果、単導体送電線と同様に着氷雪が風上側に発達して、通常「海老のしっぽ」と言われる三角状または三日月状の着氷雪の形状になりやすい。このような断面が非対称な形状になって横風をうけたときに生ずる揚力が各導体とも均等になり、各導体の振動が同期して相互に増幅し合い、その結果、ギャロッピングが発生しやすくなり、相間短絡や支持物損壊などの事故を起こす。このため、スペーサで連結された各素導体の着氷雪の形状を不均一化して、風による揚力を不均一にすることにより、ギャロッピングを防止する種々の手段が考えられている。
【０００４】
たとえば、架設された複数本の素導体よりなる多導体送電線のギャロッピング防止方法において、素導体の間隔を保持するスペーサにルーズ把持部と固定把持部とを設け、上記複数本の素導体のうち少なくとも１本を上記スペーサのルーズ把持部で把持して、その素導体の捻じれ剛性を他の素導体と相違させたことを特徴とする多導体送電線のギャロッピング防止方法（例えば特許文献２）がある。
【０００５】
また、架設された偶数本の送電線からなる架空送電線路にスペーサを設け、線路方向を見て、前記スペーサの間隔体の左または右の片側半分に設けた導体把持部で片側半分の送電線を固定把持し、他方の片側半分に設けたルーズ導体把持部で、他方の片側半分の送電線をルーズ用クランプ本体で把持し、このルーズ用クランプ本体を、把持した前記送電線の軸回りに予め設定された角度範囲で揺動自在に連結部材に配設し、この連結部材を前記間隔体に連結し、前記架空送電線路の一方の片側半分の送電線と他方の片側半分の送電線の捩じれ剛性が相違するように構成したことを特徴とする、ギャロッピング振動を防止した架空送電線路が知られている（例えば特許文献３）。
【０００６】
【特許文献１】実公昭６３−４１８００号公報
【特許文献２】特許第２５０７７５０号公報
【特許文献３】特許第３０５６０４２号公報
【発明の開示】
【発明が解決しようとする課題】
【０００７】
前記の特許文献２のルーズスペーサは、ルーズ把持部は導体をねじれ回転(回動)自由に把持し、固定型把持部は導体を固定把持して、ルーズ把持部側の導体と固定型把持部側の導体のねじれ剛性を変えて各導体にそれぞれ形成される着氷雪の形状を異ならせ、これにより各導体の着氷雪が風を受けたときに生ずる揚力を不均一にして、ギャロッピング発生の要因となる均等な揚力が生じないようにしたものである。
ところが、導体上の着雪片が素導体のより溝に沿って回転するときに、ルーズ把持部は素導体をねじれ回転(回動)自由に把持しているため、素導体は容易にねじれて回転して大きな筒雪に発達する、という欠点があった。そこで、ルーズスペーサを取付けた多導体送電線においては、ルーズ把持側の素導体に難着雪装置を取付ける必要があり、その取付けならびに保守管理に多大な費用を必要とするなどの問題があった。
【０００８】
さらに、ルーズ把持側の素導体が難着雪装置などの取付けにより、重量が増加して固定型把持部側の素導体に比して弛度が大になるので、常に傾斜した状態で取付けられることになる。この結果、多導体送電線の各素導体に弛度の不揃いが生じて外観上不安感を与えたり、多導体送電線の投影受風面積が増加したりするため、風圧荷重が増加する等の問題点があった。
【０００９】
特許文献３のルーズスペーサは、例えば４導体送電線においては、線路方向を見て左右いずれか一方側の上下の素導体をルーズ把持部として斉一的に取付けるので、ルーズ側把持部が固定側把持部よりも重い場合には、その質量差が影響して素導体が水平とならず、いずれか一方側に傾斜しやすく、このため、強風などで多導体が捻回し易くなる共に、水平方向からの投影断面積が増加して風圧荷重が増大し、鉄塔などの支持物に悪影響を及ぼす、という欠点があった。また、上記のように多導体が捻転を生ずると、スペーサ・電線の損傷やコロナ特性の悪化等を起こす、という問題点がある。このため、いずれか一方側の把持部側にルーズ把持部と固定型把持部のモーメントをバランスさせるためのバランスカラーなどを介在させて取付ける必要があり、遊離部品が増え、施工上落下などの安全対策面での問題があると共に、手間が掛かり、不経済であった。
【００１０】
また、特許文献３のルーズスペーサは、例えば４導体送電線においては、線路方向を見て左右いずれか一方側の上下の素導体をルーズ把持部として斉一的に取付ける構成となっているが、ギャロッピング振動は、冬季の季節風などによりに風上側に発達しやすい、断面「海老のしっぽ」状の着氷雪により電線に揚力が作用して、低周波大振幅の自励振動現象であるが、前記ルーズスペーサのルーズ把持部側を冬季に送電線に吹き付ける季節風などの主風向側と反対方向に取付けてしまうと、風上側が固定把持部となって電線の着氷形状が風向に対して固定されてしまうため、電線に対して作用する揚力が安定する結果、ギャロッピング抑止効果を大幅に喪失してしまうと言う欠点があった。
【００１１】
本発明は、上述の従来の課題を解決し、回動式把持部スペーサを取り付けることにより、多導体送電線の水平な素導体間に弛度差を生じさせず、捻転しにくく、過大な着雪が達せず、多導体送電線におけるギャロッピング防止型の多導体送電線などとして構成することができる電線架線構造、および、このような電線架線構造に取り付けられるスペーサやダンパと、それに適用できる電線把持ユニットを提供することを目的とするものである。
【課題を解決するための手段】
【００１２】
前記の目的を達成するために、本発明は以下のような手段を講じたものである。
［１］電線把持部と物体とが一体的に連結接続され、前記電線把持部によって架空電線に取り付けられる電線把持ユニットであって、
前記電線把持部は、前記電線を固定式に把持する固定式把持手段を備え、
前記物体は、前記電線把持部に対して可動的に連結保持される物体可動保持手段によって接合され、
前記電線と物体との間で捩れ回転自在に把持する回動型把持構造を備える、ことを特徴とする電線把持ユニット。
【００１３】
［２］[1]の電線把持ユニットにおいて、
前記物体可動保持手段は、把持される電線軸を中心とした円弧上にあって所定角度分だけ前記物体の移動または回動が自在となる円弧状可動保持手段によって構成される。
［３］[1]または[2]の電線把持ユニットにおいて、
前記物体は、電線用スペーサの間隔体、電線取り付け用の重錘、のうちのいずれかである。
【００１４】
［４］電線が支持物間に張架されて電線径間が形成される電線架線構造において、
前記電線には、[1]〜[3]いずれかの前記電線把持ユニットが取り付けられて構成される。
【００１５】
［５］複数の電線把持部と一体の間隔体とが一体的に連結接続され、前記電線把持部によって架空電線に取り付けられる電線用スペーサであって、
前記電線把持部は、前記電線を固定式に把持する固定式把持手段を備え、
前記電線把持部と前記間隔体との連結接続箇所の少なくとも１つは、前記間隔体が前記電線把持部に対して可動的に連結保持される物体可動保持手段によって接合されて、前記電線と間隔体との間で捩れ回転自在に把持する回動型電線把持ユニットによって構成され、
他の連結接続箇所は、前記間隔体が前記電線把持部に対して固定的に連結保持される物体固定保持手段によって接合されて、前記電線と間隔体との間で捩れ回転させずに把持する固定型電線把持ユニットによって構成される、ことを特徴とする電線用スペーサ。
【００１６】
［６］複数の電線把持部と一体の間隔体とが一体的に連結接続され、前記電線把持部によって架空電線に取り付けられる電線用スペーサであって、
前記電線把持部は、前記電線を固定式に把持する固定式把持手段を備え、
前記電線把持部と前記間隔体との連結接続箇所の全部が、前記間隔体が前記電線把持部に対して可動的に連結保持される物体可動保持手段によって接合されて、前記電線と間隔体との間で捩れ回転自在に把持する回動型電線把持ユニットによって構成される、ことを特徴とする電線用スペーサ。
【００１７】
［７］電線が支持物間に張架されて電線径間が形成される電線架線構造において、
前記電線には、［5］に記載の電線用スペーサが取り付けられ、
前記電線用スペーサは、前記回動型電線把持ユニットと前記固定型電線把持ユニットの両方を備え、
統計的な主風向が風上側である素導体には前記回動型電線把持ユニットが取り付けられ、
風下側の素導体には前記固定型電線把持ユニットが斉一的に取り付けられる、ことを特徴とする電線架線構造。
【００１８】
［８］電線が支持物間に張架されて電線径間が形成される電線架線構造において、
前記電線には、[5]に記載の電線用スペーサが取り付けられ、
前記電線用スペーサは、前記回動型電線把持ユニットと前記固定型電線把持ユニットの両方を備え、
前記回動型電線把持ユニットと前記固定型電線把持ユニットとが、電線径間方向と鉛直する面において、交互に隣り合うように配置される、ことを特徴とする電線架線構造。
【００１９】
また、本発明は、前記の目的を達成するために、次のような手段を講じることができる。
（１）多導体送電線が支持物間に張架されて電線径間が形成される架線構造において、
前記多導体送電線は、複数条(ｎ条)の素導体からなる複数の電線束を備え、
(ここでのｎは２以上の整数であり、「ｎ＝２，３，４，５，６，７，８，１０,…」と表すことができる)
前記電線束は、前記電線径間に添って、その電線束毎に、所定間隔をもってスペーサが取付けられ、
前記電線束の各素導体は、径間方向と鉛直する面上の所定の軸に対して左右対称に配列され、
前記スペーサは、間隔体と、そこに可動的に取付けられて、前記素導体を把持する電線把持部と、を備え、
前記把持部は、前記素導体と前記間隔体との間で捩れ回転(回動)自在に把持する回動式把持手段(ユニット)と、前記素導体を捩れ回転(回動)させずに把持する固定式把持手段(ユニット)とからなる、ことを特徴とする電線架線構造とする。
このように、送電線の架線構造において、電線束の各素導体は、径間方向と鉛直する面上の所定の軸に対して左右対称となる様に、回動式把持手段(ユニット)および／または固定式把持手段(ユニット)を間隔体に取付けた構造とすることにより、着雪防止型、ギャロッピング防止型などの多導体送電線の架線構造として構成することができる。
【００２０】
（２）(１)の電線架線構造において、前記スペーサの電線把持ユニットは、前記間隔体に取り付けられたそれら電線把持ユニットの全部が、回動型の把持手段から構成される。
前記スペーサは、間隔体の把持部の全部が回動型把持ユニット(Ｃｌ)とすることにより、把持部質量のアンバランスに基づく弛度のアンバランスを解消できるから、上記の特徴に加えて風圧荷重の低減、耐捻転型送電線などとして構成できる。
【００２１】
（３）(１)または(２)の電線架線構造において、
前記スペーサの電線把持ユニットについては、
統計的な主風向が風上側である素導体には前記回動型電線把持ユニットを取り付け、
風下側の素導体には前記固定型電線把持ユニットを斉一的に取り付ける。
（４）(１)または(２)の電線架線構造において、
前記回動型電線把持ユニットと固定型電線把持ユニットとは、電線径間方向と鉛直する面において、交互に隣り合うように配置される。
【００２２】
（５）(１)の電線架線構造において、
前記回動型電線把持ユニットは、一端で蝶着された把持部一半体と把持部他半体とを有し、これらの把持部両半体の電線受け溝に電線を挟み、前記把持部一半体に通して保持された係脱自在のＴ形頭部を有する棒状部材とこの棒状部材に軸力を与える弾性部材とによって、前記把持部両半体を接近させて、前記把持部一半体にある前記Ｔ形頭部を前記把持部他半体に係止させて前記電線を締め付けて把持する構造を備え、
前記把持部一半体には、前記弾性部材を受け入れるＵ形の枠体が設けられ、
前記Ｕ形の枠体の間隔体がある側には、電線径間方向と鉛直する面上にあって、前記間隔体と連結接続するための連結板が一体的に設けられ、
前記連結板には、電線軸を中心とした外周方向に、所定の角度範囲で電線自体が捩れ回転できる円弧状の長孔が設けられ、
前記把持部一半体と前記間隔体とは、前記連結板の円弧状の長孔を介して連結接続され、電線自体が捩れ回動自在になるよう構成されている。
（６）(５)の電線架線構造において、
前記把持部一半体の連結板または前記間隔体にはクレビス部が設けられ、
前記クレビス部を介して、電線自体が捩れ回動自在になるよう構成されている。
【００２３】
（７）電線が支持物間に張架されて電線径間が形成される電線架線構造において、
前記電線には、電線の捩れや動きを制限するためのダンパが取り付けられ、
前記ダンパは、吊下される重錘と、その重錘が可動的に取付けられて前記電線を把持する電線把持手段と、を備え、
前記電線把持部と重錘との間には、電線径間方向とは異なる方向に回動または移動が自在となる回動型支持手段が設けられ、
前記回動型支持手段を介して、前記重錘は、前記電線把持手段に対する回動または移動が自在となるように構成される。
【発明の効果】
【００２４】
本発明による電線把持ユニット、電線架線構造、および電線用スペーサによれば、次のような顕著な効果を奏する。
１.本発明による電線架線構造では、回動型電線把持ユニットおよび／または固定型電線把持ユニットをスペーサの間隔体に取り付けた構造とすることにより、着雪防止型、ギャロッピング防止型などの多導体送電線の架線構造として構成することができる。
【００２５】
２.本発明による電線架線構造では、スペーサの間隔体の電線把持ユニットの全部を回動型電線把持ユニットＣLとすることにより、把持部質量のアンバランスに基づく弛度のアンバランスを解消できるから、上記(１)の特徴に加えて、風圧荷重の低減ができる電線架線構造、耐捻転型送電線などとして構成できる。
【００２６】
３.本発明による電線架線構造では、スペーサの電線把持ユニットについては、半体(１,２)からなる回動型電線把持ユニットＣLは、電線軸を中心として所定の角度θの範囲を電線の周方向に回転可動できる構造であり、例えば、特許第２５０７７５０号および特許第３０５６０４２号のように固定型把持部の回りにルーズ把持部を回転可動に取付けた所謂ルーズスペーサに比べ、著しく把持部構造をシンプルなものとし得、安価にしかも取付け施工および保守点検を容易なものとすることが出来るので、工事費およびメンテナンス費用も大幅に削減できる。
【００２７】
４.本発明による電線架線構造では、スペーサの電線把持ユニットについては、例えば、冬季の主風向が風上側の電線に電線把持ユニットＣLを取付け、風下側を把持部Ｃｆとしたので、風上側と風下側とで電線に形成される着氷の形状が異なり、ギャロッピングの主要因である揚力を回動型電線把持ユニットＣLが風により揺動してランダムなものとさせ得るので、より効果的にギャロッピング振動を防止できる送電線を構成できる。また、左右対角方向の上下２条の電線把持ユニットをＣLとし、他の上下２条の電線把持ユニットをＣｆとすれば、ＣLとＣｆとの把持部に質量差があっても間隔体を介して左右でモーメントバランスするから、耐捻転形送電線を容易に構成できる。
【発明を実施するための最良の形態】
【００２８】
まず、本発明による電線把持ユニットに使用できる従来からある電線把持手段について述べる。
従来の電線に固着されるタイプの固定式の電線把持部としては、例えば、実公昭５７−５７４６２号公報などで示される公知のものがあり、ここでは、締付けバネの反発力により電線を安定して強固に把持する所謂ボルトレス構造の把持部が用いられている。
図６は、本発明にも適用可能な電線を固定的に把持するタイプの電線把持部の例を示す図であり、図６(１)は固定式電線把持部Ｃf0の側面図であり、図６(２)は回動されて係脱自在となるＴ形頭部１６を有する棒状部材(Ｔ字ボルト)６の外観斜視図であり、図６(３)は、矢視d1方向から見た把持部他半体２の外観図である。
【００２９】
即ち、この固定式電線把持部Ｃf0は２つの把持半体(１,２)を具え、両半体は一端においてヒンジピン３によって連結され開閉自在になっている。両半体はほぼ半円筒体からなる電線受け溝(４,４)を有し、両半体が閉じたときは電線外径に一致する様に構成されている。そこでこの受け溝(４,４)に電線Ｗを受入れて把持する。把持半体１は孔５に通すことによってＴ字ボルト６を支持し、Ｔ字ボルト６は孔５によって軸方向に移動自在に支承されている。Ｔ字ボルト６は一端のねじ部７に螺合するナット８によって座金９を支持している。
【００３０】
この図６の例では、コイルばねからなる圧縮ばね装置１０が一端を座金９に、他端を一半体１の外面に当接させてＴ字ボルト６の回りに装架されている。従って、ばね装置１０は図６の矢印方向に向かう軸力を与える。圧縮ばね装置１０を圧縮してＴ字ボルト６を矢印と反対方向に押すために、Ｔ字ボルト６と圧縮ばね装置１０の外側にはＵ形の枠体１１が把持部一半体１に一体に形成されていて、枠体１１にはＴ字ボルト６の延長方向に一致したねじ穴１２が設けられ、このねじ穴１２に押しボルト１３が螺合している。従って、押しボルト１３をねじ込んで行けば、このボルトの内端がＴ字ボルト６の先端に当たってＴ字ボルト６を矢印方向と反対方向に押すことが出来る。次に、Ｔ字ボルト６の頭部１４を９０度回して半体２の係止溝１５に係止し、押しボルト１３を緩めて取り外すことにより、圧縮ばね装置１０が伸張して把持部半体(１,２)間に締付け力を生じて電線を強固に把持することが出来る。
【００３１】
ここで、図１は、本発明の一実施形態を示す４導体送電線用の回動型電線把持ユニットを備えるスペーサの正面図であり、４つの電線把持ユニットとして２つの回動型電線把持ユニット(ＣL1,ＣL2)と２つの固定型電線把持ユニット(Ｃf1,Ｃf2)とを備える。ここで、２つの固定型電線把持ユニット(Ｃf1,Ｃf2)は、図６の固定型電線把持部(Ｃf0)と同様の構造を備えている。また、２つの回動型電線把持ユニット(ＣL1,ＣL2)は、図６の固定型電線把持部(Ｃf0)を基本的構造として備え、弾性部材を受け入れるＵ形の枠体１１の間隔体２０の側に、間隔体２０と連結接続するための連結板１６が一体的に設けられている。この連結板１６は、電線径間方向の軸と鉛直する面で、間隔体２０によって作られる平面に合わせて、配設されているものである。
【００３２】
上述のように、図１のスペーサ１００の回動型電線把持ユニットＣL1では、半体１のＵ形の枠体１１の側部には連結板１６が設けられ、前記連結板１６には、電線軸を中心として所定の角度(θ)で電線が捩れ回転(回動)できる円弧状の長孔１７が設けられている。前記連結板１６はクレビスボルト１８のクレビス部に装着され、連結ボルトナット装置１９により長孔１７部で電線が捩れ回転(回動)自在に連結されている。クレビスボルト１８のボルト部は、電線径間方向の軸に平行する面に設けられた間隔体２０の装架孔２１に挿通され、前記ボルト部に緩衝ばね２２が装架され、座金２３を介して溝付ナット２４により緩衝ばね２２が所定量締め付けられ、そして割りピン２５が装着されて緩み防止を図っている。また、間隔体２０の装架孔２１の内側には、緩衝ばね２２の過圧縮防止用のストッパー(２６,２６)が設けられている。
図１に示した実施例では、一例として、上述の構造の回動型電線把持ユニット(ＣL1,ＣL2)を４導体送電線の風上側に配置して取付けた場合を示している。同図の左側の矢印(⇒)は、冬季の季節風の主風向の風上側を示している。
【００３３】
次に、図１の右側上下２条の電線を把持する固定型電線把持ユニット(Ｃf1,Ｃf2)について、回動型電線把持ユニット(ＣL1,ＣL2)と相違する箇所について説明する。固定型電線把持ユニットＣf1の半体１'のＵ形の枠体１１の側部には、クレビス状連結部２７が一体的に設けられ、該クレビス状連結部２７にはアイボルト２８が装着され、連結ボルト２９で線路方向に可動的に連結固定される。なお、３０は連結ボルト２９に同軸的に装着されてアイボルトのアイ部を押付けて騒音の発生を防止する防音ばねであり、３１は座金、３２は連結ボルト２９の緩みを阻止する止めピンである。
また、間隔体２０の装架孔２１にアイボルト２８を挿通して、前記アイボルト２８のボルト部に緩衝ばね２２を装架し、座金２３を介して溝付ナットで緩衝ばね２２を所定量締め付け、割りピン２５を装着する構成は、回動型電線把持ユニットＣLと同様な構成である。
この回動型電線把持ユニットＣLは、本発明による送電線の架線構造において、スペーサの電線把持ユニットとして適用され、耐捻転型送電線、ギャロッピング防止型送電線などの架線構造を形成する構成部材として活用できる。
【００３４】
また、先の(１)〜(３)に例示した電線把持ユニットＣLとＣｆとの組み合わせ構成の外に、４導体の場合、冬季に主風向が左側より送電線に吹き付ける地形においては、図１に示すように左側上下２条の電線把持ユニットをＣL(ＣL1,ＣL2)とし、右側上下２条の電線把持ユニットをＣｆ(Ｃf1,Ｃf2)とすれば、風上側に生じた着氷は、回動型電線把持ユニットＣLとなっているため、振動などで所定の角度範囲(θ)で揺動するので安定した揚力が電線に作用しなくなる。そのため、大きなギャロッピング振動に発達するのを抑制することが出来、より効果的にギャロッピング振動を防止できる送電線を構成できる。
【００３５】
以上は、４導体送電線について説明したが、本発明の送電線の架線構造およびスペーサの電線把持ユニットにより、２導体、３導体、６導体、８導体および１０導体などの多導体送電線に対しても同様に適用することが出来るものである。また、前記の電線把持ユニットの組み合わせからなるスペーサを、送電線の径間方向へ取り付けるときの間隔および配置については、鉄塔の支持点近くでは間隔を狭く、径間方向に向かって広く取り付けるようにすると良い。電線把持ユニットの配置については、固定型電線把持ユニットＣｆと回動型電線把持ユニットＣLとがある場合には、全径間に亘り斉一的に取付けるようにする。ただし、架線横断箇所あるいは山岳部の谷横断箇所などで径間長が７００〜８００ｍ以上の長径間となる場合には、径間中央などで電線把持ユニットＣLとＣｆとを反転して、即ち所定位置に回動型電線把持ユニットを備えたスペーサを反転して取り付けるようにすると、風上および風下の電線への不均等着氷雪による電線の捻転現象を防止することが出来て都合がよい。
【００３６】
さて、本発明の送電線の架線構造の実施の形態について、以下図面を参照してより詳細に説明する。
図１は４導体送電線に本発明を適用した一実施形態を示したものであり、ギャロッピング防止型の多導体送電線の構成としている。この図１において、１００は、本発明の一実施形態にかかる回動型電線把持ユニットを備えた４導体スペーサである。
図１の回動型電線把持ユニットを備えたスペーサ１００は、把持半体(１,２)を具え、両半体(１,２)は一端においてヒンジピン３によって連結され開閉自在になっている。両半体(１,２)はほぼ半円筒体からなる電線受け溝(４,４)を有し、両半体が閉じたときは電線外径に一致する様に構成されている。そこで前記受け溝(４,４)に電線を受入れて把持する。把持半体１は孔５に通すことによってＴ字ボルト６を支持し、Ｔ字ボルト６は孔５によって軸方向に移動自在に支承されている。Ｔ字ボルト６は一端のねじ部７に螺合するナット８によって座金９を支持している。
【００３７】
この実施例では、コイルばねからなる圧縮ばね装置１０が一端を座金９に、他端を一半体１の外面に当接させて、Ｔ字ボルト６の回りに装架されている。従って、ばね装置１０は図１の矢印方向(→)に向かう軸力を与える。圧縮ばね装置１０を圧縮してＴ字ボルト６を矢印(→)と反対方向に押すために、Ｔ字ボルト６と圧縮ばね装置１０の外側には、Ｕ形の枠体１１が把持部一半体１に一体に形成されていて、Ｕ形の枠体１１にはＴ字ボルト６の延長方向に一致したねじ穴１２が設けられ、このねじ穴に押しボルト１３が螺合している。従って、押しボルト１３をねじ込んで行けば、このボルトの内端がＴ字ボルト６の先端に当たってＴ字ボルト６を矢印方向矢印(→)と反対方向に押すことが出来る。
【００３８】
次に、Ｔ字ボルト６の頭部１４を９０度回して半体２の係止溝１５に係止し、押しボルト１３を緩めて取り外すことにより圧縮ばね装置１０が伸張して、把持部半体１・２間に締付け力を生じて電線を強固に把持することが出来る。
この半体１の側部には連結板１６が設けられ、前記連結板１６には電線軸を中心として所定の角度で電線が捩れ回転(回動)および移動ができる円弧状の長孔１７が設けられている。前記連結板１６にはクレビスボルト１８のクレビス部に装着され、連結ボルトナット装置１９により長孔１７部において電線が捩れ回転自在に連結されている。クレビスボルト１８のボルト部は４間隔体２０の２本のフレーム間に配設された装架孔２１に挿通し、前記ボルト部に緩衝ばね２２を装架し、座金２３を介して溝付ナットで緩衝ばね２２を所定量締め付け、割りピン２５を装着して緩み防止を図っている。
間隔体２０の装架孔の内側には緩衝ばね２２の過圧縮防止用のストッパー(２６,２６)が設けられている。図１に示された実施例では、上述の構造の回動型電線把持ユニットＣL(ＣL1,ＣL2)を、４導体送電線の片側上下に対称に配置した場合を示している。また、図示の矢印(⇒)は送電線に横方向から吹き付ける冬季の季節風の主風向を示している。
【００３９】
次に、右側上下２条の電線を把持する固定型電線把持ユニットＣf(Ｃf1,Ｃf2)について、回動型電線把持ユニットＣL(ＣL1,ＣL2)と相違する箇所について説明する。
固定型電線把持ユニットＣｆの半体１’のＵ形の枠体１１の側部には、クレビス状連結部２７が一体的に設けられ、該クレビス状連結部にはアイボルト２８が装着され、連結ボルト２９で線路方向に可動的に連結固定される。なお、３０は連結ボルト２９に同軸的に装着されてアイボルトのアイ部を押付けて騒音の発生を防止する防音ばねであり、３１は座金、３２は連結ボルト２９の緩みを阻止する止めピンである。
また、間隔体２０の装架孔２１にアイボルト２８を挿通して前記アイボルトのボルト部に緩衝ばね２２を装架し、座金２３を介して溝付ナットで緩衝ばね２２を所定量締め付け、割りピン２５を装着する構成は、回動型電線把持ユニットＣLと同様な構成である。
この回動型電線把持ユニットＣLは、本発明による送電線の架線構造において、スペーサの電線把持手段として適用され、耐捻転型送電線、ギャロッピング防止型送電線などの架線構造を形成する構成部材として活用できる。
【００４０】
以上の説明において、図１に示したような回動型電線把持ユニットＣLの連結板１６とクレビスボルト１８との連結構造とは別に、図２に示すように、半体１のＵ形の枠体１１の側部にクレビス部３３を一体的に設け、該クレビス部３３に固定型電線把持ユニットＣｆの半体１’の連結に用いたアイボルト２８を共用して、回動型電線把持ユニットＣL3を構成するようにしても良い。
当然の事ながら、クレビス部に設けられた連結孔１７’は図１の連結板１６に設けた長孔１７と同様な形状とされており、連結ボルトナット装置１９は半体１の側部に設けたクレビス部３３の幅（Ｂ）よりも若干長く締付け長さが設定されており、前記連結ボルトナット装置１９を固定軸として、クレビス部３３が摺動自在となるように緩着されている。
【００４１】
また、前記回動型電線把持ユニットは、間隔体２０に少なくとも一ヶ所または全部に取付けるようにしても良い。
また、図示した間隔体２０の構造はＦＣＤ等の鋳鉄材で製作した物であるが、一般鋼材などを用いて溶接構造で種々の形状に出来るほかに、アルミ合金などの鋳物などでも製作できる。回動型電線把持ユニットを備えた電線用スペーサ１００は、サブスパン振動やギャロッピング振動などの振動エネルギーを効果的に減衰させるために、振動エネルギー減衰効果の少ない緩衝ばね２２に替えて、クロロプレンゴムやブチルゴムおよびその他のゴム材料からなる円筒状の防振ゴムとすることが出来る。
なお、電線把持ユニットの構造は、以上説明したようなボルトレス式の把持構造のものに限定されず、通常広く使用されているボルトによって把持部を締付けて電線に取り付ける、ボルト締付け型の取付方式のものであっても良いことは勿論である。
【００４２】
図３は、以上説明した本発明の回動型電線把持ユニットを備えるスペーサ１００を取り付けて、一実施例として８導体送電線の架線構造を構成する状況を示す略図であり、図中の○印は回動型電線把持ユニットＣLを示し、●印は固定型電線把持ユニットＣｆを示している。同図では矢印方向(Ｖ)が主風向を示している。また、図中の（a）,（b）,（c）は代表的な回動型把持部の取付け例を示したものである。
発明者などの試験線等での観測によれば、ギャロッピング振動防止の観点からは風上側に回動型電線把持ユニットを位置させた方が効果的であることが確認されている。即ち、（a）は、前記の観測結果を基にして主風向に対して風上側の偶数番の電線に回動型電線把持ユニットＣLを、風下側の電線に固定型電線把持ユニットＣｆを取り付けた例を示している。（b）は、全ての電線に回動型電線把持ユニットＣLを取り付けて、風向に左右されずにギャロッピング振動を防止出来る取付け例を示したものである。（c）は、偶数番と奇数番の電線に交互に回動型電線把持ユニットＣLと固定型電線把持ユニットＣｆを取付けて、電線把持ユニットに質量差があっても極端な電線の弛度差が生じず、且つ（ｂ）の例と同様に風向に左右されずにギャロッピング振動を防止出来る取付け例を示している。
【００４３】
なお、回動型電線把持ユニットＣLと固定型電線把持ユニットＣｆの取付け順序は、径間内に取り付けられる複数個の回動型電線把持ユニットを備えるスペーサ１００に対しても変わらず、斉一的に取付けるものとする。但し、先述した様に、河川あるいは谷横断などで径間長が７００〜８００ｍ以上の長径間となる場合には、径間中央などで電線把持ユニットＣLとＣｆとを反転して取り付けるようにすると、風上および風下の電線への不均等着氷雪による電線の捻転現象を防止することが出来て都合がよい。
【００４４】
次の図４は、８導体送電線を真上から見た場合の長径間における場合の、図３（a）の取付け例を示したものである。また、鉄塔支持点側より径間中央に向かって取り付けた回動型電線把持ユニットを備えるスぺーサ１００の取付け間隔を、「Ｓ１，Ｓ２,  ,  ,  ,Ｓｎ」としたとき、順次「Ｓ１＜Ｓ２＜・・・＜Ｓｎ」となるように取り付けたものである。
なお、径間中央近傍に取付けられる回動型電線把持ユニットを備えるスペーサ相互の間隔Ｓｎは、繰り返されて取り付ける場合があってもよい。
【産業上の利用可能性】
【００４５】
以上の説明では、本発明として、固定型電線把持ユニットや回動型電線把持ユニットを備える電線用スペーサを多導体に取付けて、多導体送電線におけるギャロッピング防止型の多導体送電線などとして構成することができる多導体送電線のスペーサ、その電線把持ユニット、および送電線の架線構造に関する実施形態について説明してきたが、例えば図１の取付け状態の場合、間隔体２０を左右に９０度回転させて取付けることも出来る。今、左側に９０度回転させて取付けた場合には、回動型電線把持ユニットが４導体送電線の下側に位置するようになって、若干効果は低下するものの、いずれの方向からの風を受けた場合でもギャロッピング防止効果を発揮せしめることが出来る。また、本発明はこれに限らず、例えば、電線把持ユニットを１個だけ用いた着雪防止装置として知られている捩れ防止ダンパの電線把持手段などとしても適用することが出来る。
【００４６】
図５は捩れ防止ダンパに本発明を適用した実施形態の１例を示している。同図の（ａ）は捩れ防止ダンパ２００の正面図、（ｂ）は側面図を示している。図中、３４，３５は把持半体であり、一端がヒンジピン３６で蝶番連結されていて、開閉自在な電線ユニットを構成している。
把持半体(３４,３５)の右側方には、眼鏡ボルト３７が回動自在に連結して締付けるためのコの字状の溝(３８,３８)が設けられ、眼鏡ボルト３７の眼鏡部３９はピン４０にて回動自在に連結されている。４１は座金、４２は皿ばねであり、例えば「ハードロックナット」と呼ばれる緩み止めナット装置で締付けて電線Ｗに固着される。
【００４７】
把持半体３４の下方には重錘連結板４４が突設され、前記重錘連結板には電線と直角方向に長孔４５が設けられている。長孔４５は、電線Ｗの中心を軸として円弧状に形成されている。前記長孔部には重錘５０のクレビス部５１がボルト装置４６〜４９により連結され、電線を把持した一体の把持半体(３４,３５)は、重錘５０の吊下中心位置から電線と直角方向に、所定の角度(θ)範囲で揺動(回動,移動)できる構成である。以上の構成において、重錘は電線が静止状態の時には円弧状の長孔部の中央下部に常に位置するように、自動調芯機能を有する構造とされている。
なお、ボルト装置４６において、４７、４７は座金、４８はナット、４９は緩み防止のピンである。
【００４８】
以上の構成からなる本発明の捩れ防止ダンパ２００を取り付けた電線架線構造では、電線の風上側に着氷が生じてギャロッピング振動が発生すると、上下の振動と共に電線の張力が変動して捩れ振動も同時に発生するが、前記の捩れ振動により、電線が捩れ回転した際、電線把持ユニットの長孔に吊下された重錘５０のボルト装置４６が長孔の端部に衝突して、捩れ振動の振動周期を擾乱する様に長孔内で揺動、衝突を繰り返す結果、着氷に作用する空気力学的揚力を乱すため、ギャロッピング振動を抑制することが出来るのである。
本発明の捩れ防止ダンパは、送電線の径間内に１個または複数個が所定の間隔でもって取り付けられて使用される。
【００４９】
従来の捩れ防止ダンパは、電線把持部と重錘部とが一体的に固定されていたため、このような捩れ防止ダンパを取り付けた従来の電線架線構造では、ギャロッピング時の上下振動に捩れ振動が同期して一層ギャロッピング振動を助長するという問題があったが、本発明により、こうした問題は一挙に解決することが出来たのである。なお、本実施形態では重錘の形状を球状のものとしたが、重錘の形状は任意の形状および構造とすることが出来、好ましくは重錘の重心位置が電線に近いほど、ギャロッピング時の上下振動周期に対して捩れ振動周期を短くできるので共振現象を避けることが出来、ギャロッピング時の振動振幅を小さくできて都合がよい。
【図面の簡単な説明】
【００５０】
【図１】本発明による４導体送電線用の電線把持ユニットを備えるスペーサの一例を示す正面図であり、電線把持ユニットとして回動型電線把持ユニットと固定型電線把持ユニットを備える。
【図２】本発明による回動型電線把持ユニットの他の実施形態に係る図であり、その要部の正面図(ａ)と底面略図(ｂ)である。
【図３】本発明による８導体送電線用の回動型電線把持ユニットを備えるスペーサにおいて、回動型電線把持ユニットと固定型電線把持ユニットの枠体への代表的な取付け手段を示す略図であり、(ａ)は風上側の偶数導体を回動型電線把持ユニットで把持した正面略図、(ｂ)は全ての電線を回動型電線把持ユニットで把持した正面略図、(ｃ)は回動型電線把持ユニットと固定型電線把持ユニットを交互に把持した正面略図である。
【図４】本発明による回動型電線把持ユニットを備えるスペーサを、長径間に渡って取り付ける場合の一実施形態を示す径間の平面略図である。
【図５】本発明による捩れ防止ダンパの実施形態の１例を示し、(ａ)は捩れ防止ダンパ２００の正面図、(ｂ)は側面図である。
【図６】本発明に適用可能な電線を固定式に把持するタイプの電線把持部の例を示す図であり、図６(１)は固定型の電線把持部Ｃf0の側面図、図６(２)は回動されて係脱自在となるＴ形頭部１６を有する棒状部材(Ｔ字ボルト)６の外観斜視図、図６(３)は、矢視d1方向から見た把持部他半体２の外観図である。
【符号の説明】
【００５１】
ＣL、ＣL1、ＣL2、ＣL3    回動型電線把持ユニット
Ｃf、Ｃf0、Ｃf1、Ｃf2    固定型電線把持ユニット
１００    スペーサ
２００    捩れ防止ダンパ
１，１’，２，２’    把持半体
３      ヒンジピン
４，４    電線受け溝
５    孔
６    Ｔ字ボルト
７    Ｔ字ボルトの一端に設けられたねじ部
８    ナット
９，２３    座金
１０    圧縮ばね装置
１１    Ｕ型の枠体
１２    ねじ穴
１３    押しボルト
１４    Ｔ字ボルトの頭部
１５    係止溝
１６    重錘
１７，１７’    長孔
１８    クレビスボルト
１９    連結ボルトナット装置
２０    間隔体
２１    装架孔
２２    緩衝ばね
２４    溝付ナット
２５    割りピン
２６    ストッパー
２７    クレビス状連結部
２８    アイボルト
２９    連結ボルト
３０    防音ばね
３１    止めピン
３２    鉄塔支持点
３３    クレビス部
３４，３５  把持半体
３６    ヒンジピン
３７    眼鏡ボルト
３８，３８    コの字状の溝
３９    眼鏡ボルトの眼鏡部
４０    ピン
４１，４１    座金
４２    皿ばね
４３    ハードロックナット
４４    連結板連結板
４５    長孔
４６    ボルト装置
４７    座金
４８    ナット
４９    緩み防止のピン
５０    重錘
５１    重錘のクレビス部
１００  回動型電線把持ユニットを備えるスペーサ
Ｂ      クレビス部３３の幅
θ      回動型電線把持ユニットの摺動角度（度）
θ’    把持部の揺動範囲（度）
Ｓ１,……,Ｓｎ    回動型電線把持ユニットを備えるスペーサ１００の取付け間隔
【図１】
2008035672.tif 000003
【図２】
2008035672.tif 000004
【図３】
2008035672.tif 000005
【図４】
2008035672.tif 000006
【図５】
2008035672.tif 000007
【図６】
2008035672.tif 000008